(57)【要約】      （修正有）【課題】水管の入水端の、巻管溝出口部セクションに回転可能コネクタが設けられ、水管の出水端が側向に引き出される時、水管の入水端が回転可能コネクタの運動により水管の入水端を駆動せず、水管が絞られ変形するのを防止することができるホースリールの提供。【解決手段】メインフレームを具え、該メインフレームは水管が捲回収容される巻管溝を具え、水管の入水端は巻管溝の中央の出口部分より引き出されて蛇口と螺合され、メインフレームの一側に貫通溝が開設されて水管の出水端が挿通するホースリール。【選択図】図１
0003116752.tif 000002
【実用新案登録請求の範囲】
【請求項１】
メインフレームを具え、該メインフレームが水管を捲回収容する巻管溝を具え、水管の入水端が巻管溝の中央の出口部より引き出されて蛇口と螺合され、メインフレームの一側に貫通溝が開設されて水管の出水端が挿通するホースリールにおいて、該水管の入水端の、巻管溝出口部セクションに回転可能コネクタが設けられ、水管の出水端が側向に引き出される時、該水管の入水端が回転可能コネクタの錯綜運動により水管の入水端を駆動せず、水管が絞られ変形するのを防止することを特徴とする、ホースリール。
【請求項２】
請求項１記載のホースリールにおいて、回転可能コネクタが雄、雌コネクタで構成され、巻管溝の中央の出口部にケースシートが取り付けられ、該ケースシートに枢設孔が設けられて雄コネクタの枢設位置制限に供され、雌コネクタの内端が雄コネクタを係止し、外端が水管の入水端と接続されたことを特徴とする、ホースリール。
【請求項３】
請求項１記載のホースリールにおいて、メインフレーム使用時に、横向きのスイングフレーム上に取り付けられ、該スイングフレームの一側に後ろボタンが取り付けられて壁に枢設され、これにより、メインフレームが水管の引き出しの方向に伴い回転し、水管の引っ張りがさらに順調となることを特徴とする、ホースリール。
【請求項４】
請求項１記載のホースリールにおいて、メインフレームは相互に対称な前フレーム、後ろフレームを組み合わせた形態とされ、前フレーム、後ろフレームの当接面中央に対向する穿孔が設けられ、双頭係止柱が前フレーム、後ろフレームの穿孔に組み合わされることで、前フレーム、後ろフレームが相互に組み合わされ、位置決めされることを特徴とする、ホースリール。
【考案の詳細な説明】
【技術分野】
【０００１】
本考案は一種のホースリールに係り、特に、水管の入水端に回転可能コネクタが組み合わされた新規な構造形態のホースリールに関する。
【背景技術】
【０００２】
ホースリールは水管の捲回に供され、収容と使用に便利な目的を達成する。周知のホースリールは特許文献１に記載されているもののように、ホースリール１０が水管１１を捲回するための溝を具え、水管の入水端Ａは溝間の中央部より前方に向けて引き出され、水管の出水端Ｂはホースリールの一側に保留されたスリット１２より引き出される。このような周知の構造は実際の応用上、以下のような問題点を有している。
【０００３】
水管１１の入水端Ａと出水端Ｂの引っ張り方向が異なるため、出水端が側方向に向けて引き出される時、水管の入水端がこれに伴い径方向の回転を発生し、もしこのとき該入水端がすでに蛇口に固定されていれば、水管自身にらせん状にねじれる変形現象が発生し、ゆえに、周知のホースリールは使用時に、往々にして水管の出水端が必要な長さに引き出されてから、入水端が蛇口に取り付けられ、そうでなければ、使用者が水管を引っ張る過程で、水管が絞られて変形する現象が発生し、このために水が順調に流れなくなり、さらには水管の破損を形成し、良好な使用効果には符合しなかった。
【０００４】
ゆえに周知のホースリールにおける、水管の出水端引き出し時に、その入水端が蛇口に固定されている場合に、水管が絞られ変形する問題に対する改善が求められていた。
【０００５】
【特許文献１】台湾特許公報第５４３６４７号明細書
【考案の開示】
【考案が解決しようとする課題】
【０００６】
本考案が解決しようとする技術問題点は、即ち、周知のホースリールにおける、水管の出水端引き出し時に、その入水端が蛇口に固定されている場合に、水管が絞られ変形する問題である。
【０００７】
本考案の問題を解決するための技術特徴は、即ち、ホースリールがメインフレームを具え、該メインフレームは水管が捲回収容される巻管溝を具え、水管の入水端は巻管溝の中央の出口部分より引き出されて蛇口と螺合され、メインフレームの一側に貫通溝が開設されて水管の出水端が挿通するホースリールにおいて、該水管の入水端の、巻管溝出口部セクションに回転可能コネクタが設けられ、水管の出水端が側向に引き出される時、該水管の入水端が回転可能コネクタの運動により水管の入水端を駆動しないことにある。
【課題を解決するための手段】
【０００８】
請求項１の考案は、メインフレームを具え、該メインフレームが水管を捲回収容する巻管溝を具え、水管の入水端が巻管溝の中央の出口部より引き出されて蛇口と螺合され、メインフレームの一側に貫通溝が開設されて水管の出水端が挿通するホースリールにおいて、該水管の入水端の、巻管溝出口部セクションに回転可能コネクタが設けられ、水管の出水端が側向に引き出される時、該水管の入水端が回転可能コネクタの錯綜運動により水管の入水端を駆動せず、水管が絞られ変形するのを防止することを特徴とする、ホースリールとしている。
請求項２の考案は、請求項１記載のホースリールにおいて、回転可能コネクタが雄、雌コネクタで構成され、巻管溝の中央の出口部にケースシートが取り付けられ、該ケースシートに枢設孔が設けられて雄コネクタの枢設位置制限に供され、雌コネクタの内端が雄コネクタを係止し、外端が水管の入水端と接続されたことを特徴とする、ホースリールとしている。
請求項３の考案は、請求項１記載のホースリールにおいて、メインフレーム使用時に、横向きのスイングフレーム上に取り付けられ、該スイングフレームの一側に後ろボタンが取り付けられて壁に枢設され、これにより、メインフレームが水管の引き出しの方向に伴い回転し、水管の引っ張りがさらに順調となることを特徴とする、ホースリールとしている。
請求項４の考案は、請求項１記載のホースリールにおいて、メインフレームは相互に対称な前フレーム、後ろフレームを組み合わせた形態とされ、前フレーム、後ろフレームの当接面中央に対向する穿孔が設けられ、双頭係止柱が前フレーム、後ろフレームの穿孔に組み合わされることで、前フレーム、後ろフレームが相互に組み合わされ、位置決めされることを特徴とする、ホースリールとしている。
【考案の効果】
【０００９】
従来の技術と比較した時の本考案の効果は以下のとおりである。
１．水管の入水端に巻管溝の出口部セクションにおいて回転可能コネクタが取り付けられた新規な構造を提供している。
２．この構造設計により、水管の出水端が側方向に引き出される時、該水管の入水端が回転可能コネクタの錯綜運動により水管の入水端を駆動せず、水管が絞られて変形するのを防止できる。
【考案を実施するための最良の形態】
【００１０】
図１は本考案のホースリールの好ましい実施例を示し、該ホースリールはメインフレーム１０を具え、メインフレーム１０は、巻管溝１１を具え、該巻管溝１１中に水管２０が捲回並びに収容される。そのうち、水管２０の入水端２１は巻管溝１１中央の出口部１２より外向きに引き出され、さらに蛇口３０と螺合され、メインフレーム１０の１側に貫通溝１３が設けられて水管２０の出水端２２が挿通される。その特徴は以下のとおりである。
【００１１】
該水管２０の入水端２１に、巻管溝１１の出口部１２のセクションにおいて、回転可能コネクタ４０が取り付けられ、水管２０の出水端２２が側方向に向けて引き出される時（図４）、該水管２０の入水端２１が回転可能コネクタ４０の錯綜する運動により水管２０の入水端２１を駆動せず、これにより水管２０が絞られて変形するのを防止する実用効果が達成される。
【００１２】
そのうち、回転可能コネクタ４０は雄コネクタ４１と雌コネクタ４２で構成され、このような雄コネクタ、雌コネクタは既存のコネクタ嵌合部品により達成され、このようなコネクタの特色は、組合せ後に、雄、雌コネクタがそれぞれ径方向に回転することにある。巻管溝１１中央の出口部１２にケースシート１２１が取り付けられ、該ケースシート１２１に枢設孔１２２が設けられて雄コネクタ４１が枢設位置制限され、雌コネクタ４２の内端が雄コネクタ４１を係止し、外端は水管２０の入水端２１と接続される。
【００１３】
図５に示されるように、メインフレーム１０使用時には横向きにできるスイングフレーム５０上に設置する組合せ形態も可能であり、このスイングフレーム５０は一側に後ろボタン５１が取り付けられて、壁６０に枢設可能である。これにより、図６、７に示されるように、メインフレーム１０が十分に水管２０の出水端２２の引き出し方向に伴い同期回転し、水管の引っ張りがさらに順調となり抵抗がなくなる。
【００１４】
図８に示されるように、メインフレーム１０はまた相互に対称な前フレーム１０１、後ろフレーム１０２を組み合わせた形態とされうる。この前フレーム１０１、後ろフレーム１０２の当接面中央に対向する穿孔１０３、１０４が設けられ（図９）、さらに双頭係止柱７０が前フレーム１０１、後ろフレーム１０２の穿孔１０３、１０４に組み合わされることで、前フレーム１０１、後ろフレーム１０２が相互に組み合わされ、位置決めされる。
【００１５】
本考案の改善された機能は以下のようである。
１．水管２０の入水端２１に巻管溝１１の出口部１２セクションにおいて、回転可能コネクタ４０が取り付けられ、これにより新規性の要件に符合する。
２．この構造設計により、水管２０の出水端２２が側方向に引き出される時、該水管の入水端２１が回転可能コネクタの錯綜運動により水管の入水端を駆動せず、水管が絞られて変形するのを防止できる。
【００１６】
本考案の達成する新機能は以下のとおりである。
メインフレーム１０がスイングフレーム５０に置かれる特殊構造設計により、メインフレーム１０が水管２０の出水端２２の引き出しの方向に伴い同期に揺動し、水管の引っ張り過程が順調で、抵抗のないものとなる。
【図面の簡単な説明】
【００１７】
【図１】本考案の立体表示図である。
【図２】本考案の回転可能コネクタの分解図である。
【図３】本考案の回転可能コネクタの組合せ図である。
【図４】本考案の実施動作状態表示図である。
【図５】本考案のメインフレームがスイングフレーム上に置かれる分解図である。
【図６】図５の構造の使用状態表示図の一である。
【図７】図５の構造の使用状態表示図の二である。
【図８】本考案の別の実施例の組合せ立体図である。
【図９】本考案の別の実施例の組合せ断面図である。
【符号の説明】
【００１８】
１０  メインフレーム
１０１  前フレーム          １０２  後ろフレーム
１０３  穿孔                １０４  穿孔
１１  巻管溝
１２  出口部                １２１  ケースシート
１２２  枢設孔              １３  貫通溝
２０  水管
２１  入水端                ２２  出水端
３０  蛇口
４０  回転可能コネクタ
４１  雄コネクタ            ４２  雌コネクタ
５０  スイングフレーム      ５１  後ろボタン
６０  壁                    ７０  双頭係止頭
【図１】
0003116752.tif 000003
【図２】
0003116752.tif 000004
【図３】
0003116752.tif 000005
【図４】
0003116752.tif 000006
【図５】
0003116752.tif 000007
【図６】
0003116752.tif 000008
【図７】
0003116752.tif 000009
【図８】
0003116752.tif 000010
【図９】
0003116752.tif 000011